(57)【要約】【課題】安全防護をし、不意のぶつかりによる点火を防止し、利用者の安全を確保することができるライター安全装置改良構造を提供する。【解決手段】一種のライター安全装置の改良構造、ライターケース端面に設ける点火ボタンと点火ボタン表面に設ける安全押しボタンより構成する。その点火ボタンはライターケース端面に設け、中間部に突起端を設け、ライター内部の揺り腕に接触し、その揺り腕は既設の高圧点火器に押下できる。さらに、高圧点火器表面に安全押しボタンを噛み合わせるための滑り溝を設け、安全押しボタンは滑り溝方向に摺動でき、その安全押しボタンの中間部に突起係止め部を延ばして、その揺り腕の上端に延ばしておく、その点火ボタンを制限し受圧による点火を抑止する。その安全押しボタンを摺動することにより、突起係止め部の位置を改変し、揺り腕の摺動制限を解除できる。その安全押しボタンは受圧により、揺り腕が高圧点火器に連動し、点火口に点火する。【選択図】図３
0003120433.tif 000002
【実用新案登録請求の範囲】
【請求項１】
ライター、ケースの上端部に上蓋を回転軸接続し、その上蓋で点火口を覆い、ケース内部はさらに揺り腕を回転軸接続する。高圧点火器はその揺り腕の底面に設け、揺り腕の連動により、点火口を圧制し点火口に点火させる。
点火ボタン、その底面にケース外部端面に回転軸接続し、点火ボタン上端に突起軸を設け、前記の上蓋底部に設ける滑り溝に延ばしておく、点火ボタンの中間部に突起端前記の揺り腕底面に接触しておく、さらに点火ボタン表面に滑り溝を設け、点火ボタンを貫通して、内部に弾性部材を設ける。
安全押しボタン、その中間部内周部に突起係止め部を設け、前記の点火ボタンの滑り溝を貫通し、点火ボタン内部に進入し摺動でき、あらかじめに設ける部材により、その突起係止め部を係止め、点火ボタンが押下による点火を抑止する。その安全押しボタンが押された後、突起係止め部に連動し、点火ボタンの係止めを解除して、点火ボタンは押されることにより揺り腕に連動し、高圧点火器を点火口に点火する共に、点火ボタンの突起軸も連動し、その上蓋を開放することを実現することを特徴とする一種のライター安全構造。
【考案の詳細な説明】
【技術分野】
【０００１】
本考案は一種のライター安全装置の改良構造に関わるもので、特に一種の安全防護装置が取り付けられ、不意のぶつかりによる点火の安全装置に関わる。
【背景技術】
【０００２】
公知技術のライター点火方式は多くの種類がある。良く見かけるものは歯形体の回転により、着火石を摩擦し火花を形成して、ガス（ブタン）に点火および放出させ、炎を形成する。もう一つの方式は、ハンマーにより圧電素子（一種のトランジスタ）を叩いて、電気火花を生成し、ガスに点火および放出させ、炎を形成する。
【考案の開示】
【考案が解決しようとする課題】
【０００３】
前記二種の点火方式のライター製品は、その点火機構とも誤操作に備える安全装置が取り付けていないため、不意のぶつかりによる点火がしばしば見受ける。このため、使用の利便性に影響がなく、ライターが不意のぶつかりによる点火の危険性を防止することは、業者らの課題になっている。
【課題を解決するための手段】
【０００４】
考案人は公知技術のライターが前記の欠点について、改善方法を鋭意研究し、本考案を開発した。
【０００５】
本考案は一種のライター安全装置の改良構造を提供し、主に、ライター、点火ボタンおよび安全押しボタンの部分より構成する。そのライターは天面端縁に点火口を設け、そのケース内部に揺り腕を回転軸接続する。高圧点火器はその揺り腕の底面に設け、受圧により点火口より着火する。その点火ボタンの底部はそのケース内部に設け、さらに、点火ボタンの中間部に突起端を横切って設け、前記の揺り腕底面に接触する。その点火ボタン表面に滑り溝を設け、安全押しボタンの中間部に突起部を設け、前述の点火ボタンの滑り溝を貫通して、ケースに進入し摺動でき、その点火ボタンは突起部の脇側に突起係止め部を延ばして設け、その揺り腕上端により係止められ、押下による点火を抑止する。その安全押しボタンを摺動することにより、その突起係止め部を連動し、揺り腕上端の係止め状態を解除できる。このとき、点火ボタンの押下により、揺り腕が連動し高圧点火器を点火口より着火させる。本考案の主な目的は、安全防護をし、不意のぶつかりによる点火を防止し、利用者の安全を確保することである。
【考案の効果】
【０００６】
本考案のライター安全装置の改良構造は、ライターケース天面端縁に上蓋を設け、その点火口を覆う。その上蓋の底面に滑り溝を設け、点火ボタンがその上端を押すことにより、突起軸を延ばして連動させる。本考案もう一つの目的は、その点火ボタンが受圧により、その突起軸を連動させ、上蓋を開放する。その上蓋は点火口に覆うことにより、より完備な防護効果を形成する。
【考案を実施するための最良の形態】
【０００７】
本考案の詳細構造、応用原理、働きと効果を理解するため、下記付帯図の説明を参照する。
【実施例１】
【０００８】
図１は本考案実施例１の部分構造分解図である。図２の組み合わせ外観図、図３の組み合わせ断面図より、本考案実施例１の構造は主に、ライター１、点火ボタン２および安全押しボタン３つの部分より構成することが分かる。そのライター１はケース１１上端に、軸１２１により回転軸接続する上蓋１２を設け、上蓋１２内部に点火口１３を設け、ライター１内部に回転軸１４１接続により、揺り腕１４を設ける。点火器１５は揺り腕１４底部に設け、押下により点火口１３より点火する。その点火ボタン２底面は、回転軸２１により、ケース１１の端面に設け、点火ボタン２は内側に押下により、高圧点火器１５を点火させる。その点火ボタン２上端に突起軸２２を設け、上蓋１２底部の滑り溝１２２に延しておく、点火ボタン２中間部に突起端２５を設け、突起端２５は前述の揺り腕１４底面に接触し、揺り腕１４を連動させ、回転軸１４１を軸心として回転する。さらに点火ボタン２表面に滑り溝２３を設け、安全押しボタン３の内部に突起部３３を設け、前記の滑り溝２３に進入し、往復に摺動する。その突起部３３の脇側に突起係止め部３１を設け、突起係止め部３１の最先端は前記の揺り腕１４上端に接触し係止めを形成する。ばね３２は突起部３３底面と点火ボタン２内側中間部突起台２４の間に設ける。ばね３２により安全押しボタン３を引っ張ることにより、安全押しボタン３の弾性復位能力を持たせる。突起係止め部３１先端を揺り腕１４上端面に当て、点火ボタン２は係止めにより、内側に押下による点火が抑制され、安全防護機能を実現する。
【０００９】
図４、５は、本考案実施例１における様々な点火動作図であり、図６は上蓋の開放状態の概略図である。使用するとき、安全押しボタン３を上方向に滑りさせ、安全押しボタン３の突起係止め部３１が上方向に摺動し、ばね３２を引っ張ることにより、突起係止め部３１を揺り腕１４上端に対する係止め状態を解除し、点火ボタン２が内側押下を可能にする。点火ボタン２を内側に押したとき、その上端の突起軸２２は滑り溝１２２内部に摺動し、上蓋１２を連動し、軸１２１を軸心として開放する。同時に、点火ボタン２中間部の突起端２５より揺り腕１４の底部を押すことにより、揺り腕１４上端は、高圧点火器１５を押して、点火口１３に点火させる。点火完了後、点火ボタン２を離した後、高圧点火器１５は揺り腕１４を押して復位させた後、点火ボタン２も復位される。このとき、ばね３２は安全押しボタン３の突起係止め部３１を引っ張り復位させる。突起係止め部３１が戻り、揺り腕１４上端面に当て安全係止め状態になり、点火ボタン２の押下が抑制される。
【実施例２】
【００１０】
図７に示すものは、本考案実施例２における組み合わせ断面図であり、図８、９は本考案実施例２における様々な点火動作図である。本考案実施例２における構造は前記の実施例１をベースである。ライター１、点火ボタン２および安全押しボタン３各部分の素子は大体同じである。異なるところは、安全押しボタン３０内周部に突起部３０３を設け、点火ボタン２の滑り溝２３に進入し、後ろ側に摺動する。突起部３０３の脇側に突起係止め部３０１を揺り腕１４上端に延ばして設け、係止め部材１６により係止める。ばね３２を突起係止め部３０１と点火ボタン２内部突起台２４の間に設ける。ばね３２は突起係止め部３０１と安全押しボタン３０にそれぞれ係止めて、安全押しボタン３０の弾性復位能力を持たせる。さらに、突起係止め部３０１を係止め部材１６に係止めて、点火ボタン２は内側に押下による点火ができなく、安全防護機能を形成する。
【００１１】
使用するとき、安全押しボタン３０を下方向に押して、突起係止め部３０１を連動させ、係止め部材１６の係止め状態を離して、点火ボタン２に対する係止めを解除する。点火ボタン２は内側に押された後、その上端の突起軸２２は滑り溝122内部に摺動し、上蓋１２を連動し、軸１２１を軸心として開放する。同時に、点火ボタン２中間部の突起端２５より揺り腕１４の底部を押すことにより、揺り腕１４上端は、高圧点火器１５を押下して、点火口１３に点火させる。点火完了後、点火ボタン２を離して、高圧点火器１５は揺り腕１４を押して復位させた後、点火ボタン２も復位される。このとき、突起係止め部３０１が戻り、揺り腕１６上端面に係止めた安全係止め状態になり、点火ボタン２の押下が抑制される。
【００１２】
前記の説明より、本考案のライター安全装置の改良構造は、安全防護、不意のぶつかりによる点火を防止し、産業の利用性、新規性と進歩性が確実にある。
【００１３】
ただし、以上に説明は本考案の好ましい実施例であり、本考案の実施範囲に制限を加わるものではありません。本考案の特許請求範囲による等価変化または修飾するものは、すべて本考案の特許請求範疇に含まれるものと理解する。
【図面の簡単な説明】
【００１４】
【図１】本考案実施例１における部分構造分解図である。
【図２】本考案実施例１における組み合わせ外観図である。
【図３】本考案実施例１における組み合わせ断面図である。
【図４】本考案実施例１における点火動作図である。
【図５】本考案実施例１における点火動作図である。
【図６】本考案実施例１における上蓋開放状態概略図である。
【図７】本考案実施例２における組み合わせ断面図である。
【図８】本考案実施例２における点火動作図である。
【図９】本考案実施例２における点火動作図である。
【符号の説明】
【００１５】
１            ライター
１１          ケース
１２          上蓋
１２１        軸
１２２        滑り溝
１３          点火口
１４          揺り腕
１４１        回転軸
１５          高圧点火器
１６          係止部材
２            点火ボタン
２１          回転軸
２２          突起軸
２３          滑り溝
２４          突起台
２５          突起端
３、３０      安全押しボタン
３１、３０１  突起係止め部
３２          ばね
３３、３０３  突起部
【図１】
0003120433.tif 000003
【図２】
0003120433.tif 000004
【図３】
0003120433.tif 000005
【図４】
0003120433.tif 000006
【図５】
0003120433.tif 000007
【図６】
0003120433.tif 000008
【図７】
0003120433.tif 000009
【図８】
0003120433.tif 000010
【図９】
0003120433.tif 000011
【手続補正書】
【提出日】平成18年1月26日(2006.1.26)
【手続補正１】
【補正対象書類名】実用新案登録請求の範囲
【補正対象項目名】全文
【補正方法】変更
【補正の内容】
【実用新案登録請求の範囲】
【請求項１】
回動自在にケースと接続され、点火口を覆う上蓋と、
前記ケースの内部において回動可能に設けられた揺り腕と、
前記揺り腕の回動による押下に応じて前記点火口に点火する点火器と、
その底部にて前記ケースの端部と回動可能に接続され、外部からの押圧によって回動して前記揺り腕を連動させ前記点火器を押し下げる点火ボタンと、
前記点火ボタンに設けられた滑り溝を介してケース内部側へと貫通し、その端部に前記揺り腕の連動を係止める係止め部を有する突起軸を設け、前記滑り溝に沿って摺動可能
な安全押しボタンと、を備え、
外部から押されて前記安全押しボタンが摺動すると、前記揺り腕と前記係止め部との係止め状態が解除され、その状態にて前記点火ボタンが押されると、前記上蓋が開放されるとともに、前記点火器が押し下げられることを特徴とするライター安全装置。
【手続補正２】
【補正対象書類名】明細書
【補正対象項目名】全文
【補正方法】変更
【補正の内容】
【考案の詳細な説明】
【技術分野】
【０００１】
本考案は、ライター安全装置の改良構造に関わるもので、特に、不意のぶつかりによる点火を防ぐ安全防護装置が取り付けられたライター安全装置に関わるものである。
【背景技術】
【０００２】
公知技術のライター点火方式には多くの種類がある。良く見かけるものは歯形体の回転により、着火石を摩擦し火花を形成して、ガス（ブタン）に点火および放出させ、炎を形成する。もう一つの方式は、ハンマーにより圧電素子（一種のトランジスタ）を叩いて、電気火花を生成し、ガスに点火および放出させ、炎を形成する。
【考案の開示】
【考案が解決しようとする課題】
【０００３】
前記二種の点火方式のライター製品は、いずれの点火機構とも誤操作に備える安全装置を取り付けていないため、不意のぶつかりによる点火がしばしば見受けられる。このため、ライターにおいて、使用の利便性に影響を与えず、不意のぶつかりによる点火の危険性を防止することは、業者らの課題になっている。
【課題を解決するための手段】
【０００４】
考案人は公知技術のライターに関する前記の欠点について、改善方法を鋭意研究し、本考案を開発した。
【０００５】
本考案は、ライター安全装置の改良構造を提供し、主に、ライター、点火ボタンおよび安全押しボタンの部分より構成する。そのライター安全装置は、回動自在にケースと接続され、点火口を覆う上蓋と、前記ケースの内部において回動可能に設けられた揺り腕と、前記揺り腕の回動による押下に応じて前記点火口に点火する点火器と、その底部にて前記ケースの端部と回動可能に接続され、外部からの押圧によって回動して前記揺り腕を連動させ前記点火器を押し下げる点火ボタンと、前記点火ボタンに設けられた滑り溝を介してケース内部側へと貫通し、その端部に前記揺り腕の連動を係止める係止め部を有する突起軸を設け、前記滑り溝に沿って摺動可能な安全押しボタンと、を備え、外部から押されて前記安全押しボタンが摺動すると、前記揺り腕と前記係止め部との係止め状態が解除され、その状態にて前記点火ボタンが押されると、前記上蓋が開放されるとともに、前記点火器が押し下げられることを特徴としている。
【考案の効果】
【０００６】
本考案のライター安全装置の改良構造では、ライターのケース天面端縁に上蓋が設けられており、この上蓋が点火口を覆う。その上蓋の底部に滑り溝を設け、点火ボタンがその上端を押すことにより、突起軸を延ばして連動させる。
【０００７】
本考案の主な目的は、安全防護をし、不意のぶつかりによる点火を防止し、利用者の安全を確保することである。
本考案のもう一つの目的は、その点火ボタンが受圧により、その突起軸を連動させ、上蓋を開放する。その上蓋は点火口に覆うことにより、より完備な防護効果を形成する。
【考案を実施するための最良の形態】
【０００８】
本考案の詳細構造、応用原理、働きと効果を理解するため、下記付帯図の説明を参照する。
【実施例１】
【０００９】
図１は本考案実施例１の部分構造分解図である。図２の組み合わせ外観図、図３の組み合わせ断面図より、本考案実施例１の構造は主に、ライター１、点火ボタン２および安全押しボタンの３つの部分より構成されることが分かる。そのライター１は、ケース１１上端に、軸１２１により回転軸接続する上蓋１２を設け、上蓋１２内部に点火口１３を設け、ライター１内部に回転軸１４１の接続により、揺り腕１４を設ける。点火器１５は揺り腕１４底部に設け、押下により点火口１３より点火する。その点火ボタン２底面は、回転軸２１により、ケース１１の端面に設けられており、点火ボタン２を内側に押下することにより、高圧点火器１５に点火させる。その点火ボタン２上端に突起軸２２を設け、上蓋１２底部の滑り溝１２２に延しておく。点火ボタン２中間部に突起端２５を設け、突起端２５は前述の揺り腕１４底面に接触し、揺り腕１４を連動させ、回転軸１４１を軸心として回転させる。さらに点火ボタン２の表面に滑り溝２３を設け、安全押しボタン３の内部に突起部３３を設け、前記の滑り溝２３に進入し、往復に摺動する。その突起部３３の脇側に突起係止め部３１を設け、突起係止め部３１の最先端は前記の揺り腕１４上端に接触し係止めを形成する。ばね３２は突起部３３底面と点火ボタン２内側中間部の突起台２４との間に設ける。ばね３２により安全押しボタン３を引っ張ることにより、安全押しボタン３に弾性復位能力を持たせる。突起係止め部３１先端を揺り腕１４上端面に当て、点火ボタン２は、係止めにより、内側に押下による点火が抑制され、安全防護機能を実現する。
【００１０】
図４、５は、本考案実施例１における様々な点火動作図であり、図６は上蓋の開放状態の概略図である。使用するとき、安全押しボタン３を上方向に滑らせ、安全押しボタン３の突起係止め部３１が上方向に摺動し、ばね３２を引っ張ることにより、突起係止め部３１を揺り腕１４上端に対する係止め状態を解除し、点火ボタン２の内側押下を可能にする。点火ボタン２を内側に押したとき、その上端の突起軸２２は滑り溝１２２内部に摺動し、上蓋１２を連動し、軸１２１を軸心として開放する。同時に、点火ボタン２中間部の突起端２５にて揺り腕１４の底部を押すことにより、揺り腕１４上端は、高圧点火器１５を押して、点火口１３に点火させる。点火完了後、点火ボタン２を離すと、高圧点火器１５は揺り腕１４を押して復位させ、その後、点火ボタン２も復位される。このとき、ばね３２は安全押しボタン３の突起係止め部３１を引っ張り復位させる。突起係止め部３１が戻ると、揺り腕１４上端面に当たる安全係止め状態になり、点火ボタン２の押下が抑制される。
【実施例２】
【００１１】
図７に示すものは、本考案実施例２における組み合わせ断面図であり、図８、９は本考案実施例２における様々な点火動作図である。本考案実施例２における構造は前記の実施例１をベースとしている。ライター１、点火ボタン２および安全押しボタン３各部分の素子は大体同じである。異なるところは、安全押しボタン３０内周部に突起部３０３を設け、点火ボタン２の滑り溝２３に進入し、後ろ側に摺動する点である。突起部３０３の脇側に突起係止め部３０１を揺り腕１４上端に延ばして設け、係止め部材１６により係止める。ばね３２を突起係止め部３０１と点火ボタン２内部の突起台２４との間に設ける。ばね３２は突起係止め部３０１と安全押しボタン３０にそれぞれ係止めて、安全押しボタン３０に弾性復位能力を持たせる。さらに、突起係止め部３０１を係止め部材１６に係止めると、点火ボタン２は内側への押下による点火ができなくなり、安全防護機能を形成する。
【００１２】
使用するとき、安全押しボタン３０を下方向に押して、突起係止め部３０１を連動させ、係止め部材１６の係止め状態を離して、点火ボタン２に対する係止めを解除する。点火ボタン２が内側に押されると、その上端の突起軸２２は滑り溝１２２内部に摺動し、上蓋１２を連動し、軸１２１を軸心として開放する。同時に、点火ボタン２中間部の突起端２５にて揺り腕１４の底部を押すことにより、揺り腕１４上端は、高圧点火器１５を押下して、点火口１３に点火させる。点火完了後、点火ボタン２を離すと、高圧点火器１５が揺り腕１４を押して復位させた後、点火ボタン２も復位される。このとき、突起係止め部３０１が戻り、揺り腕１６上端面に係止めた安全係止め状態になり、点火ボタン２の押下が抑制される。
【００１３】
前記の説明より、本考案のライター安全装置の改良構造は、安全防護、不意のぶつかりによる点火を防止し、産業の利用性、新規性と進歩性とを確実に有している。
【００１４】
ただし、以上の説明は本考案の好ましい実施例であり、本考案の実施範囲に制限を加わるものではない。本考案の特許請求範囲と等価の変化または修飾をするものは、すべて本考案の技術的範囲に含まれるものと理解する。
【図面の簡単な説明】
【００１５】
【図１】本考案実施例１における部分構造分解図である。
【図２】本考案実施例１における組み合わせ外観図である。
【図３】本考案実施例１における組み合わせ断面図である。
【図４】本考案実施例１における点火動作図である。
【図５】本考案実施例１における点火動作図である。
【図６】本考案実施例１における上蓋開放状態概略図である。
【図７】本考案実施例２における組み合わせ断面図である。
【図８】本考案実施例２における点火動作図である。
【図９】本考案実施例２における点火動作図である。
【符号の説明】
【００１６】
１            ライター
１１          ケース
１２          上蓋
１２１        軸
１２２        滑り溝
１３          点火口
１４          揺り腕
１４１        回転軸
１５          高圧点火器
１６          係止部材
２            点火ボタン
２１          回転軸
２２          突起軸
２３          滑り溝
２４          突起台
２５          突起端
３、３０      安全押しボタン
３１、３０１  突起係止め部
３２          ばね
３３、３０３  突起部